【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
物体の移動に応答する回路であって、
前記物体に伴う磁場に比例する磁場信号を供給するように動作する磁場検知エレメントと、
所定閾値検出器であって、
前記磁場信号に応答する第１入力と、所定の閾値に応答する第２入力と、所定閾値検出器出力信号を供給する出力とを有し、前記所定閾値検出器出力信号が前記物体の移動を示す、比較器を含む、所定閾値検出器と、
追跡閾値検出器であって、
前記磁場信号を受け取るように結合され、前記磁場信号の正および負のピークを追跡し、追跡信号を生成するように構成されている追跡回路と、
前記磁場信号に応答する第１入力と、前記追跡信号に関係する入力信号に応答する第２入力と、追跡閾値検出器出力信号を供給する出力とを有する比較器と、
を含む、追跡閾値検出器と、
前記追跡閾値検出器出力信号に応答する第１入力と、前記所定閾値検出器出力信号に応答する第２入力とを有し、前記所定閾値検出器出力信号または前記追跡閾値検出器出力信号の内少なくとも１つに関係する回路出力信号を、所定の条件に基づいて生成するように構成されている出力信号選択器と、
を備えており、
前記所定の条件が、
前記磁気信号または前記所定閾値検出器出力信号の所定のサイクル数、
所定の時間、
自動利得制御または自動オフセット調節の条件、または
較正時間期間の終了、
の内少なくとも１つに関係する、回路。
【請求項２】
請求項１記載の回路において、前記磁場検知エレメントが、第１対の磁場検知エレメントであり、前記磁場信号が第１磁場信号であり、前記所定閾値検出器が、前記第１磁場信号に応答し、第１所定閾値検出器位相を有する第１所定閾値検出器出力信号を供給するように動作する第１所定閾値検出器であり、前記回路が、更に、
第２磁場信号を供給するように動作する第２対の磁場検知エレメントと、
第２所定閾値検出器と、
を備えており、該第２所定閾値検出器が、
前記第２磁場信号に応答する第１入力と、前記所定の閾値に応答する第２入力と、第２所定閾値検出器位相を有する第２所定閾値検出器出力信号を供給する出力とを有する比較器を備えており、
前記信号選択器が、更に、前記第２所定閾値検出器出力信号に応答する第３入力を備えており、前記第１および第２所定閾値検出器位相の差が、前記物体の移動方向を示す、回路。
【請求項３】
請求項２記載の回路において、前記所定の条件が、前記第１または第２磁場信号の内１つの所定のサイクル数に関係する、回路。
【請求項４】
請求項２記載の回路において、前記所定の条件が、前記第１または第２所定閾値検出器出力信号の内１つにおける所定のサイクル数に関係する、回路。
【請求項５】
請求項２記載の回路において、前記所定の条件が、所定の時間に対応する、回路。
【請求項６】
請求項２記載の回路であって、更に、
前記第１対または前記第２対の磁場検知エレメントに結合され、前記第１または第２磁場信号の内対応する１つを処理するように構成されている自動利得制御であって、前記所定の条件が前記自動利得制御の条件に対応する、自動利得制御と、前記第１または前記第２対の磁場検知エレメントの内１つに結合され、前記第１または第２磁場信号の内対応する１つを処理するように構成されている自動オフセット調節であって、前記所定の条件が前記自動利得制御の条件に対応する、自動オフセット調節との内少なくとも１つを備えている、回路。
【請求項７】
請求項１記載の回路において、前記磁場検知エレメントが、第１対の磁場検知エレメントであり、前記磁場信号が第１磁場信号であり、前記追跡閾値検出器が、前記第１磁場信号に応答し、前記物体の移動速度を示す周波数と第１追跡閾値検出器位相とを有する第１追跡閾値検出器出力を供給するように動作する第１追跡閾値検出器であり、前記回路が、更に、
第２磁場信号を供給するように動作する第２対の磁場検知エレメントと、
第２追跡閾値検出器と、
を備えており、
前記第２追跡閾値検出器が、
前記第２磁場信号を受け取るように結合され、前記第２磁場信号の正および負のピークを追跡し、第２追跡信号を生成するように構成されている追跡回路と、
前記第２磁場信号に応答する第１入力と、前記第２追跡信号に関係する入力信号に応答する第２入力と、第２追跡閾値検出器位相を有する第２追跡閾値検出器出力信号を供給する出力とを有する比較器と、
を備えており、前記信号選択器が、更に、前記第２追跡閾値検出器出力信号に応答する第３入力を備えており、前記第１および第２追跡閾値検出器位相の差が、前記物体の移動方向を示す、回路。
【請求項８】
請求項７記載の回路において、前記所定の条件が、前記第１または第２磁場信号の内１つの所定のサイクル数に関係する、回路。
【請求項９】
請求項７記載の回路において、前記所定の条件が、前記第１または第２追跡閾値検出器出力信号の内１つの所定のサイクル数に関係する、回路。
【請求項１０】
請求項７記載の回路において、前記所定の条件が、所定の時間に対応する、回路。
【請求項１１】
請求項７記載の回路であって、更に、
前記第１対または前記第２対の磁場検知エレメントに結合され、前記第１または第２磁場信号の内対応する１つを処理するように構成されている自動利得制御であって、前記所定の条件が前記自動利得制御の条件に対応する、自動利得制御と、前記第１または前記第２対の磁場検知エレメントの内１つに結合され、前記第１または第２磁場信号の内対応する１つを処理するように構成されている自動オフセット調節であって、前記所定の条件が前記自動オフセット調節の条件に対応する、自動オフセット調節との内少なくとも１つを備えている、回路。
【請求項１２】
請求項７記載の回路において、前記所定閾値検出器が、前記第１磁場信号に応答する第１所定閾値検出器であり、前記第１所定閾値検出器の比較器が、第１の所定の閾値に応答し、前記物体の移動速度を示す周波数と第１所定閾値検出器位相とを有する第１所定閾値検出器出力信号を供給するように動作し、前記回路が、更に、
第２所定閾値検出器を備えており、この第２所定閾値検出器が、
前記第２磁場信号に応答する入力と、第２所定閾値に応答する他の入力とを有し、第２所定閾値検出器位相を有する第２所定閾値検出器出力信号を供給するように動作する第２比較回路を備えており、前記信号選択器が、更に、前記第２所定閾値検出器出力信号に応答する第４入力を備えており、前記第１および第２所定閾値検出器位相間の差が、前記物体の移動方向を示す、回路。
【請求項１３】
請求項１２記載の回路において、前記第１または第２所定閾値検出器の内１つが、シュミット・トリガを含む、回路。
【請求項１４】
請求項１２記載の回路において、前記出力信号選択器が、前記第２追跡閾値検出器出力信号に応答する第３入力と、前記第２所定閾値検出器出力信号に応答する第４入力とを含み、更に前記第１および第２追跡閾値検出器出力信号の組み合わせ、または前記第１および第２所定閾値検出器出力信号の組み合わせに対応する前記回路出力信号を、前記所定の条件に基づいて供給するように構成されている、回路。
【請求項１５】
請求項１２記載の回路において、前記所定の条件が、前記第１または第２磁場信号の内１つの所定のサイクル数に関係する、回路。
【請求項１６】
請求項１２記載の回路において、前記所定の条件が、前記第１所定閾値検出器出力信号、第２所定閾値検出器出力信号、第１追跡閾値検出器出力信号、または第２追跡閾値検出器出力信号の内１つの所定のサイクル数に関係する、回路。
【請求項１７】
請求項１２記載の回路において、前記所定の条件が、所定の時間に対応する、回路。
【請求項１８】
請求項１２記載の回路であって、更に、
前記第１対または前記第２対の磁場検知エレメントに結合され、前記第１または第２磁場信号の内対応する１つを処理するように構成されている自動利得制御であって、前記所定の条件が前記自動利得制御の条件に対応する、自動利得制御と、前記第１または前記第２対の磁場検知エレメントの内１つに結合され、前記第１または第２磁場信号の内対応する１つを処理するように構成されている自動オフセット調節であって、前記所定の条件が前記自動オフセット調節の条件に対応する、自動オフセット調節との内少なくとも１つを備えている、回路。
【請求項１９】
物体の移動を検出する方法であって、
前記物体に伴う磁場に比例する磁場信号を生成するステップと、
前記磁場信号の正および負のピークを追跡するために、前記磁場信号に応答する追跡信号を生成するステップと、
前記磁場信号および所定の閾値に応答する所定閾値出力信号を生成するステップであって、前記所定閾値出力信号が前記物体の移動を示す、ステップと、
前記磁場信号および前記追跡信号に応答する追跡閾値出力信号を生成するステップと、
前記所定閾値出力信号または前記追跡閾値出力信号から選択した１つに関係する総合出力信号を、
前記磁気信号または前記所定閾値検出器出力信号の所定のサイクル数、
所定の時間、
自動利得制御または自動オフセット調節の条件、または
較正時間期間の終了、
の内少なくとも１つに関係する所定の条件に基づいて供給するステップと、
を備えている、方法。
【請求項２０】
請求項１９記載の方法において、前記磁場信号が、第１位置における前記物体の磁場に比例する第１磁場信号であり、前記追跡信号が、前記第１磁場信号に応答する第１追跡信号であり、前記追跡閾値出力信号が、前記第１磁場信号および前記第１追跡信号に応答する第１追跡閾値出力信号であり、前記第１追跡閾値出力信号が、前記物体の移動速度を示す周波数と第１追跡閾値出力信号位相とを有し、前記所定閾値出力信号が、前記第１磁場信号および第１所定閾値に応答する第１所定閾値出力信号であり、前記第１所定閾値出力信号が、前記物体の移動速度を示す周波数を有し、更に第１所定閾値出力信号位相を有し、前記方法が、更に、
前記第１位置からずれた第２位置における前記物体に伴う第２磁場に比例する第２磁場信号を生成するステップと、
前記第２磁場信号の正および負のピークを追跡するために、前記第２磁場信号に応答する第２追跡信号を生成するステップと、
前記第２磁場信号および前記第２追跡信号に応答し、第２追跡閾値出力信号位相を有する第２追跡閾値出力信号を生成するステップであって、前記第１および第２追跡閾値出力信号位相の差が前記物体の移動方向を示す、ステップと、
前記第２磁場信号および第２所定閾値に応答し、第２所定閾値出力信号位相を有する第２所定閾値出力信号を生成するステップであって、前記第１および第２出力信号位相の差が、前記物体の移動方向を示し、前記総合出力信号が、更に、前記所定の条件に基づいて、前記第１および第２所定閾値出力信号の組み合わせ、または前記第１および第２追跡閾値出力信号の組み合わせから選択された１つに関係がある、ステップと、
を備えている、方法。
【請求項２１】
請求項２０記載の方法において、前記所定の条件が、前記第１または第２磁場信号の内１つの所定のサイクル数に関係する、方法。
【請求項２２】
請求項２０記載の方法において、前記所定の条件が、前記第１所定閾値検出器出力信号、第２所定閾値検出器出力信号、第１追跡閾値検出器出力信号、または第２追跡閾値検出器出力信号の内１つの所定のサイクル数に関係する、方法。
【請求項２３】
請求項２０記載の方法において、前記所定の条件が、所定の時間に対応する、方法。
【請求項２４】
請求項２０記載の方法であって、更に、
自動利得制御または自動オフセット調節の内少なくとも１つを用いて前記第１または第２磁場信号の内１つを処理するステップを備えており、前記自動利得制御の場合、前記所定の条件が前記自動利得制御の条件に対応し、前記自動オフセット調節の場合、前記所定の条件が前記自動オフセット調節の条件に対応する、方法。